(57)【要約】【課題】素材粒子を粉砕するための流体化基層ジェットミルにおいて、ノズル設計によりミルの効率向上・コスト低減を図る。【解決手段】上記ミルの側壁に、粉砕チャンバ内に高速流体の合成ストリームを放出するための複数のノズル装置を貫通実装する。高速流体は素材粒子を受け取って搬送し、上記チャンバ内に導いて粒子対粒子衝突を起こさせる。各ノズル装置に設けた複奇数個のベル状ノズル開口１０６から高速流体の各個ストリームを放出させ、それらにより上記合成ストリームを形成する。各開口１０６の第１の端から第２の端へと移動する多量の高速流体は、収束領域１１２にて収束及び加速され、スロート領域１１４を通り、第１膨張領域１１６にて直線的に、また第２膨張領域１１８にて転回的に膨張及び平行フロー化される。この流れに沿い、領域１１６の半径ｒ１及び長さｓ１はｄｒ１／ｄｓ１が定数となるよう、領域１１８の半径ｒ２及び長さｓ２はｄｒ２／ｄｓ２がｓ２の非線形関数となるよう、定める。【選択図】図６
2004050180.tif 000002
【特許請求の範囲】
【請求項１】
　高速流体の合成ストリームを放出すべく流体化基層ジェットミルの側壁を貫通して実装され、上記流体が素材の粒子を受け取り、搬送して流体化基層ジェットミルの粉砕チャンバ内に導き、当該粉砕チャンバ内で粒子対粒子衝突を起こさせるノズル装置であって、第１の端と、上記側壁に実装されたとき粉砕チャンバの中心軸を向く第２の端と、それぞれノズル軸を有し放出された各個ストリームが合成ストリームを形成するようそれぞれ高速流体の各個ストリームを放出する複奇数個のノズル開口と、を備えるノズル装置であって、
　（ｉ）第１の端を向くよう配置された第１ノズル壁部を有し、多量の高圧流体を収束及び加速させて上記各個ストリームを得る収束領域と、
　（ｉｉ）上記ノズル開口の最小直径点を規定する第２ノズル壁部を有するスロート領域と、
　（ｉｉｉ）上記スロート領域を通過した多量の高圧流体を直線的に膨張させる第１膨張領域であって、上記スロート領域から上記第２の端の方向に向け、ｄｒ１／ｄｓ１＝定数、なる条件を満たしつつ何れも増大していく半径ｒ１及び長さｓ１を有する第３ノズル壁部を含む第１膨張領域と、
　（ｉｖ）上記第１膨張領域からの多量の高圧流体を転回膨張及び平行フロー化する第２膨張領域であって、上記第１膨張領域から上記第２の端の方向に向け、ｄｒ２／ｄｓ２がｓ２の非線形関数、なる条件を満たしつつ何れも増大していく半径ｒ２及び長さｓ２を有する第４ノズル壁部を含む第２膨張領域と、
　を備えることを特徴とするノズル装置。
【請求項２】
　素材粒子を粉砕するための流体化基層ジェットミルであって、
　（ａ）ベース、トップ及び側壁により規定され中心軸を有する粉砕チャンバと、
　（ｂ）高速流体の合成ストリームを放出すべく流体化基層ジェットミルの側壁を貫通して実装され、上記流体が素材の粒子を受け取って搬送し、粒子対粒子衝突を起こさせるべく粉砕対象素材粒子を上記粉砕チャンバ内に導く複数のノズル装置であって、ノズル装置毎に、それぞれ高速流体の各個ストリームを放出する複奇数個のベル状ノズル開口を有し、当該各個ストリームが一緒になり高速流体の上記合成ストリームを形成する複数のノズル装置と、
　を備え、上記ベル状ノズル開口が、それぞれ、
　（ｉ）その第１の端から第２の端へと移動する多量の高圧流体を収束及び加速させる収束領域と、
　（ｉｉ）上記ベル状ノズル開口の最小直径領域を規定するスロート領域と、
　（ｉｉｉ）上記スロート領域を通過した多量の高圧流体を直線的に膨張させる第１膨張領域であって、上記スロート領域から上記第２の端の方向に向け、ｄｒ１／ｄｓ１＝定数、なる条件を満たしつつ何れも増大していく半径ｒ１及び長さｓ１を有する第１膨張領域と、
　（ｉｖ）上記第１膨張領域からくる多量の高圧流体を転回膨張及び平行フロー化する第２膨張領域であって、上記第１膨張領域から上記第２の端の方向に向け、ｄｒ２／ｄｓ２がｓ２の非線形関数、なる条件を満たしつつ何れも増大していく半径ｒ２及び長さｓ２を有する第２膨張領域と、
　を備えることを特徴とする流体化基層ジェットミル。
【請求項３】
　素材粒子を粉砕するための流体化基層ジェットミルであって、
　（ａ）ベース、トップ及び側壁により規定され中心軸を有する粉砕チャンバと、
　（ｂ）高速流体の合成ストリームを放出すべく流体化基層ジェットミルの側壁を貫通して実装され、第１及び第２の端を有し、第２の端は上記粉砕チャンバの中心軸を向く複数のノズル装置であって、それぞれ、上記第２の端を介して高速流体の各個ストリームを放出し当該高速流体により素材粒子を搬送させるべく少なくとも１個のノズル開口を有し、当該少なくとも１個のノズル開口がノズル軸及びノズル壁部を有する複数のノズル装置と、
　を備え、上記ノズル壁部が、
　（ｉ）第１の端を向くよう配置され、上記第１の端から上記第２の端へと移動し放出されるべき多量の高圧流体を収束及び加速させる第１ノズル壁部を有する収束領域と、
　（ｉｉ）上記ノズル開口の最小直径を規定する第２ノズル壁部を有するスロート領域と、
　（ｉｉｉ）上記スロート領域を通過した多量の高圧流体を直線的に膨張させる第１膨張領域であって、上記スロート領域から上記第２の端の方向に向け、ｄｒ１／ｄｓ１＝定数、なる条件を満たしつつ何れも増大していく半径ｒ１及び長さｓ１を有する第３ノズル壁部を含む第１膨張領域と、
　（ｉｖ）上記第１膨張領域からの多量の高圧流体を転回膨張及び平行フロー化する第２膨張領域であって、上記第１膨張領域から上記第２の端の方向に向け、ｄｒ２／ｄｓ２がｓ２の非線形関数、なる条件を満たしつつ何れも増大していく半径ｒ２及び長さｓ２を有する第４ノズル壁部を含む第２膨張領域と、
　を規定することを特徴とする流体化基層ジェットミル。
【発明の詳細な説明】
【技術分野】
【０００１】
　本発明は、流体化(fluidized)基層ジェットミルに関する。
【背景技術】
【０００２】
　ジェットミルは、粉砕対象粒子（搬送粒子）を圧縮エア又はスチーム等の流体ストリーム又は流体ジェットにて搬送及び加速し、粉砕チャンバ内での搬送粒子相互衝突又は粉砕チャンバ内の静止面に対する搬送粒子の衝突によって、搬送粒子の粒径等を縮小するための機械である。各種流体エネルギミルは、その特徴的な動作モードによってカテゴリー分けすることができ、また流入エアに対する搬送粒子の配置によって分類することができる。商業的に入手できるMajac Inc.製造のMajac jet pulverizerでは、粉砕チャンバへの導入に先立って、粒子が流入流体に混合される。Majac millでは、粒子と流体の混合物のストリームが２本、粉砕チャンバ内で互いに相手の方向に向けられ、それにより粒子を粉砕させている。Majac millに代わる手法としては、ガスとは別の発生源から粉砕チャンバ内に粒子を導入して加速する、という手法がある。後者の例としては、Dickerson et al.に付与された米国特許たる下記特許文献１に開示されているように、環状の粉砕チャンバに多数の流体ジェット導入部を設け、流体ジェット導入部から接線方向に沿って粉砕チャンバ内に加圧エアを入射するものがある。
【０００３】
　粉砕中は、残りのより粗い粒子を引き続き粉砕しつつ、所要サイズに達した粒子についてはこれを取り出す必要がある。このことから、ミルは、粒子の選別方法によっても分類することができる。この選別工程は、粉砕チャンバ内における流体と粒子の混合物の循環により、実現できる。例えばパンケーキミルにおいては、直径に比べて丈の低い円筒型の粉砕チャンバの周縁部に流体を導入し、当該チャンバ内に渦状の流れを発生させる。すると、粗い粒子は周縁部に寄せられて更に粉砕される一方、細かな粒子はチャンバの中心へと移動し、粉砕チャンバ内又はその近傍に設けられた集粉口に集まる。選別は、また、分離型の選別器によっても実現できる。
【０００４】
　典型的には、この種の選別器は機械的な選別器であり、回転する羽根付きの円筒型ロータによって特徴づけられる。粉砕チャンバからのエアの流れは、所定のサイズを下回る粒子のみを、このロータの回転によって生じた遠心力に逆らいロータを通り抜けさせうる。この通過する粒子のサイズはロータのスピードによって変化する。即ち、ロータの回転が速いほど、通過する粒子は小さくなる。これら通過した粒子はミルによる生産物である。大径の粒子は、例えば重力の作用によって、粉砕チャンバに戻る。
【０００５】
　更に他のタイプの流体エネルギミルとしては、流体化基層ジェットミルがある。これは、複数の流体ジェット導入部が粉砕チャンバの周縁部に実装され、すべてのジェット粉砕チャンバの軸芯上の一点に向けられたものである。この装置は、チャンバの頂部又は底部から連続的に導入される搬送素材の基層を流体化し循環させる。流体化した基層は、流体ジェット流同士の衝突領域を取り囲んで、粉砕領域を形成する。この領域内において、粒子同士が射突しあい破砕される。更に、粉砕チャンバの頂部に、即ち流体化基層の頂部と集粉口の入口との間には、機械式選別器を設ける。
【０００６】
　ジェットミルにおける最大の動作コストは、圧縮流体供給用コンプレッサを運転するためのパワーにかかるコストである。ミルが特定の素材をあるサイズにまで粉砕する際の効率は、ミルのスループット、即ち展開流体により生成される固定的な出力値に対する仕上がった物質の質量により、表すことができる。粉砕効率を向上させるための仕組みとしては、複数の固定された平面に向けて粒子を放射し、その平面との衝突によって粒子を破砕する、というものが提案されている。
【０００７】
　このアプローチの一例としては、Neuに対して付与された米国特許たる特許文献２に記載のものがある。これは、方形断面を有する複数本のインパクトバーを、ダクト内で平行列としてかつダクト内における流れの向きに直交するよう、ダクト内に配置する、というものである。エアのストリーム又はジェットに乗ってダクト内を通過する粒子は、インパクトバーに打ち付けられて破砕される。また、Siegelに対して付与された米国特許たる特許文献３により開示されているインパクトターゲットは、その並びに従ってそのサイズが徐々に変化する複数枚の平板型インパクトプレートを、間隔をもって配置・結合させた構成を有している。これら平面型インパクトプレートには、粒子のストリーム又はジェットが次のプレートに届くよう、中央開口が設けられている。流体粒子のストリーム又はジェットは、Majac millの粉砕チャンバ内におけるそれと同じく、２個の相対向するストリームとなっており、インパクトターゲットはこれら２個のストリームの間に挿入配置される。
【０００８】
　流体化ジェットミルは様々な粒子の粉砕に用いうるけれども、特に適しているのは、他種材料、例えば静電潜像複写プロセスにて用いられるトナー等の素材の粉砕である。トナー素材は、二成分現像剤か一成分現像剤により形成されうる。二成分現像剤は、通常、トナーの帯電及び搬送のため磁性素材により被覆された搬送素材の粗いパウダーを含む。一成分現像剤は、トナー自体が充分な磁気及び帯電特性を有し搬送粒子を必要としないものである。
【０００９】
　トナーは、通常、シート状又はペレット状に溶融されコンパウンド化されており、ハンマーミルにより処理されて平均粒径４００〜８００ミクロンの粒状となる（１ミクロン＝１０-6ｍ）。これらの粒子は更に、流体化基層ジェットミル又は粉砕機等の流体エネルギミルによって粉砕され、平均粒径３〜３０ミクロンとなる。このようにして得られるトナーは比較的低い密度を有している。即ち、一成分トナーの場合はおよそ１．７、二成分トナーの場合はおよそ１．１の比質量となる。これらは更に、例えば摂氏７０度未満といった、低いガラス転移温度を有している。トナー粒子は、粉砕チャンバの温度がガラス転移温度を超えると変形して固まり始める。
【００１０】
　流体化基層ジェットミル又は粉砕機においては、高速の流体例えばエアが、粉砕チャンバの周縁部に配置された３乃至５個のエアノズル（装置）により導入され、当該チャンバの中央部に集束される。これらのノズルからの高速エアの流れは、ミルの中央へと素材の粒子を運搬及び加速する。これに続いて生じる粒子同士の衝突により、サイズ縮小が実現される。この方法によるサイズ縮小は、今日におけるトナー形成に代表されるように、低温で溶融するコンパウンドのサイズ縮小において最も有効である。
【００１１】
　この種のトナー製造においては、通常、サイズ縮小は時間を食う工程であり、最も代表的な製造コスト増大要因である。そのため、サイズ縮小過程を研究し理解するための多大なる努力が、効率向上、ひいてはスループットレートの最大化・コスト最小化を達するために、払われている。
【００１２】
　サイズ縮小プロセスにおける効率に影響するファクターとしては、粒子対粒子衝突の確率と、衝突時における粒子の運動エネルギという、二種類のファクターがあることが、判明している。
【００１３】
【特許文献１】米国特許第３５６５３４８号明細書
【特許文献２】米国特許第４０５９２３１号明細書
【特許文献３】米国特許第４０８９４７２号明細書
【特許文献４】米国特許第５４２３４９０号明細書
【発明の開示】
【発明が解決しようとする課題】
【００１４】
　しかしながら、トナー粒子の粉砕又はサイズ縮小に用いられる流体化基層ジェットミル又は粉砕機においては、エネルギ利用効率が非常に低い。例えば、サイズ縮小用流体化基層ジェットミルにより使用される全エネルギのうち実際には５％ほどしか、粒子サイズ縮小には用いられていないものと、推定される。このようにエネルギ利用効率が低いことから、ミル及び／又はノズルの設計によってプロセスにおけるエネルギ効率を高め、顕著なる動作コスト節約を達成することが、期待されている。
【００１５】
　なお、従来におけるいくつかのアプローチはノズル再設計によるものであり、流体化基層ジェットミル又は粉砕機における粉砕エネルギ利用効率及びスループットレートを改良すべく、継続的に試行されている。ノズル設計上の改良は、粒子対粒子衝突確率の上昇と、衝突時粒子運動エネルギの増大とを目指して、行われている。
【００１６】
　従来型ノズルの第１のタイプは、単一のベル型又はフレア型開口又はノズルを有するノズル装置により、構成される。この開口又はノズルは、ベル型の外形(profile)を有し、単一の流体ストリーム又は流体ジェットを放出する。このベル型の外形は、収束(converging)領域と、スロート(throat)領域と、スロート領域から放出端に至る直線的発散漏斗(straight diverging flare)領域とを、含む。
【００１７】
　従来型ノズル設計の他のタイプとしては、例えば特許文献４により開示されているものがある。この文献においては、四個の小さなベル型又はフレア型開口又はノズルを有するノズル装置が開示されている。各開口又はノズルは、それぞれ、小さな流体ジェットを放出することができ、合計では四個のジェットが得られる。この四個のジェットは、ノズル装置の放出端から放出される単一のジェット合成流(downstream)を形成する。このノズルは、メインノズルを四個のより小さいフォーカス形状のノズル装置に分割するという発想に従って動作しており、合成ジェットにより多くの素材をのせる機会を与えている。このように、単一のベル型又はフレア型開口にてストリームを放出するノズル装置と比較して、後者のノズル設計では、四個のフレア型ノズル又は開口による放出を行っているため、個々の流体ジェットにより多くの素材粒子を導入し搬送することができる。
【課題を解決するための手段】
【００１８】
　そこで、本発明においては、次の如く素材粒子を粉砕するための流体化基層ジェットミルを提案する。本発明に係る流体化基層ジェットミルは、高速流体の合成ストリームを放出すべくその側壁に貫通実装された複数のノズル装置を備える。この高速流体は、素材の粒子を受け取って搬送し、粒子対粒子衝突を起こさせるべく粉砕対象素材粒子を粉砕チャンバ内に導く。各ノズル装置は、それぞれ高速流体の各個ストリームを放出する複奇数個のベル状ノズル開口を有し、当該各個ストリームが一緒になり高速流体の合成ストリームを形成する。ベル状ノズル開口は、それぞれ、（ｉ）その第１の端から第２の端へと移動する多量の高圧流体を収束及び加速させる収束領域と、（ｉｉ）ベル状ノズル開口の最小直径領域を規定するスロート領域と、（ｉｉｉ）スロート領域を通過した多量の高圧流体を直線的に膨張させる第１膨張領域と、（ｉｖ）第１膨張領域からくる多量の高圧流体を転回膨張及び平行フロー化する第２膨張領域とを備える。第１膨張領域は、スロート領域から第２の端の方向に向け、ｄｒ１／ｄｓ１＝定数、なる条件を満たしつつ何れも増大していく半径ｒ１及び長さｓ１を有する。第２膨張領域は、第１膨張領域から第２の端の方向に向け、ｄｒ２／ｄｓ２がｓ２の非線形関数、なる条件を満たしつつ何れも増大していく半径ｒ２及び長さｓ２を有する。
【発明を実施するための最良の形態】
【００１９】
　以下、本発明に関しその好適な実施形態により説明するが、これは、本発明を当該実施形態に限定する趣旨ではない。むしろ、特許請求の範囲に記載した発明の要旨を逸脱しない限りにおいて、すべての代替物、変形物及び等価物が本発明に包含されるものと解釈されるべきである。
【００２０】
　図１〜図１２すべてを概観するに、本発明の一実施形態は、素材の粒子１３を粉砕するための流体化基層ジェットミル１０に係る実施形態である。この流体化基層ジェットミル１０は、ベース１６，トップ１７及び側壁１４を有しており、これらにより、中心軸１８を有する粉砕チャンバ１２が形成（規定）されている。流体化基層ジェットミル１０は、更に、粉砕チャンバ１２の側壁１４を貫通するよう実装された複奇数ベル状開口（ＰＯＮＢＬＯ）ノズル装置１００を複数個有している。各ＰＯＮＢＬＯノズル装置１００は、高速流体１２１の合成ストリーム又はジェット２２０を粉砕チャンバ１２の中心軸１８に向けて放出し、当該中心軸１８において粉砕対象粒子１３同士が衝突するよう当該粒子を搬送する。
【００２１】
　各ＰＯＮＢＬＯノズル装置１００は、第１端１０１及び第２端１０３を有しており、第２端１０３は粉砕チャンバ１２の中心軸１８を向いている。各ＰＯＮＢＬＯノズル装置１００は、また、少なくともベル状ノズル開口１０６を有している。この開口１０６は、素材粒子１３を搬送するため、第２端１０３を通じて高速流体の合成ストリーム又はジェット２２０を放出する。各ベル状ノズル開口１０６は、収束領域１１２，スロート領域１１４，第１膨張領域１１６の各領域を規定する壁部を有している。収束領域１１２では、第１端１０１から入り第２端１０３から放出されるべき多量の高圧流体が収束及び加速される。スロート領域１１４は、ベル状ノズル開口１０６のうちで最も直径が小さい部分である。第１膨張領域１１６では、スロート領域１１４を通った多量の高圧流体が直線的に膨張する。
【００２２】
　第１膨張領域１１６の半径をｒ１、スロート領域１１４から第２端１０３方向への第１膨張領域１１６の広がり即ち長さをｓ１とする。本実施形態では、半径ｒ１及び長さｓ１が、ｄｒ１／ｄｓ１＝一定、すなわち、長さ方向への半径の変化率が一定という関係を満たすよう設定されている。各ベル状ノズル開口１０６は、更に、第２膨張領域１１８を有している。第２膨張領域１１８では、第１膨張領域１１６からの多量の高圧流体に対して平行な流れと共に転回膨張(turning expansion)を発生させる。第２膨張領域１１８の半径をｒ２、第１膨張領域１１６から第２端１０３方向への第２膨張領域１１８の長さをｓ２とすると、本実施形態では、半径ｒ２及び長さｓ２は、ｄｒ２／ｄｓ２が非一定、非線形で且つｓ２の関数となるよう、設定されている。
【００２３】
　各ＰＯＮＢＬＯノズル装置１００は、複奇数個（即ち複数個且つ奇数個である個数）のベル状開口(plural odd number of bell-like openings)を有する装置として図示されている。即ち、円筒部１０２は、長手軸（縦軸）１０４に加え、複奇数個（本実施形態では３個）のベル状開口１０６，１０８，１１０を有している。複奇数個のベル状ノズル開口１０６，１０８，１１０は、それぞれ、長手軸１０４から距離ＤＳを有しており、またその直径はＤＭである。本実施形態では、距離ＤＳは各ベル状ノズル開口１０６，１０８，１１０の直径の１／２であり、従って直径２×ＤＳの円１０５が現れる。複奇数個のベル状ノズル開口１０６，１０８，１１０は、それぞれ、高速流体１２１の各個ストリーム１２２，１２４，１２６を放出するのに適している。各個ストリーム１２２，１２４，１２６はそれぞれストリーム軸１２２ａ，１２４ａ，１２６ａを有している。これらのストリーム軸１２２ａ，１２４ａ，１２６ａは、それぞれ、対応するノズル開口の軸と一致しており、また、円筒部１０２の長手軸１０４即ちＰＯＮＢＬＯノズル装置１００の長手軸と交差するよう傾けられている。ノズル装置１００を流体化基層ジェットミル又は粉砕機１０の側壁１４に貫通実装した状態では、各個ストリーム軸１２２ａ，１２４ａ，１２６ａは、粉砕チャンバ１２の中心軸１８とノズル装置１００の第２端１０３との間にある点にて、ノズル装置１００の長手軸１０４と交差する。
【００２４】
　更に、各ＰＯＮＢＬＯノズル装置１００の隣接ベル状ノズル開口間、即ち１０６と１０８の間、１０８と１１０の間及び１１０と１０６の間には、粒子受容スペース１０７，１０９，１１１が形成されている。各粒子受容スペース１０７，１０９，１１１は、複奇数個のベル状ノズル開口１０６，１０８，１１０のうち何れかと対向する位置にあり、かつ、当該何れかの開口の直径線Ｄ１，Ｄ２，Ｄ３上にある。即ち、各ノズル装置１００における複奇数個の粒子受容スペース１０７，１０９，１１１と高圧流体の各個ストリーム１２２，１２４，１２６を結ぶ線はそれぞれ長手軸１０４に直接交差している。このような配置の結果として、粒子１３は、ノズル装置１００の第２端１０３の近傍において、スペース１０７，１０９，１１１から中心（軸１０４）方向へと、容易に動きうることとなる。また、各個ストリーム１２２，１２４，１２６は、そうした粒子１３が中心から離れ戻っていくことを許さない。従って、それらの粒子１３は、まずは各個ストリーム１２２，１２４，１２６によって、次いで合成ストリーム２２０によって、ノズル装置の下流へと搬送される。
【００２５】
　図１に示されるように、流体化基層ジェットミル１０は、周縁壁１４、ベース１６、トップ１７、中心軸１８及び複数個のソース１００を有する粉砕チャンバ１２を備えている。各ソース１００は、高圧高速合成流体ストリーム又はジェット２２０を吐出する。複数個のソース１００は、それぞれ、図示の如く、周縁壁又は側壁１４を貫通するよう実装されており、粉砕チャンバ１２内に延び、中心軸１８について回転対称となるよう規則的に並べられている。加えて、ソース又はノズル１００は、それぞれ、高速高圧流体のストリーム又はジェット２２０を、合成ストリーム軸２２０ａ（即ちノズル装置１００の長手軸１０４）に沿う方向に向ける。実装時には、ノズル装置１００の長手軸１０４は粉砕チャンバ１２の中心軸１８と実質的に垂直でありまたこれを横切ることとなる。この中心軸１８は、従って、流体ストリーム２２０の交点となり（またそうするのが望ましく）、ひいては粒子対粒子衝突及び破壊領域の中心点(focal point)となる。
【００２６】
　図示されるように、流体化基層ジェットミル１０は、更に粒子選別放出装置２０を備えている。粒子選別放出装置２０は、当該ミル１０のトップ１７に向けて実装されている。運転時には、ミル１０は、図示の如くチャンバ１２のトップから或いはベースから装置１９によって継続的に導入された素材の粒子１３を、流体化及び循環させる。粒子破壊又は粉砕領域は合成ストリーム２２０の衝突部を取り巻くよう配置され、そこでは粒子同士が互いに射突しあい破砕される。大きめの粒子は降下するか或いは選別装置２０によりはじき出され、合成ストリーム２２０により再び搬送される。その一方で、許容できる程度に小さなサイズまで砕かれた粒子は、選別装置２０により吸い上げられ粒子集粉口２３へと運ばれる。
【００２７】
　図２〜図４のうち特に図２及び図３には、第１の従来型ノズル装置２４及び第２の従来型ノズル装置２６の斜視外観が示されている。第１の従来型ノズル装置２４は、単一のフレア型ノズル開口３０を有する円筒部材２８により構成されており、第２の従来型ノズル装置２６は、従来型の４個のフレア型ノズル開口３２，３４，３６，３８を有する円筒部材２９により構成されている。両装置２４，２６における各ノズル開口３０，３２，３４，３６，３８は、図４に示されるように、従来通りフレア型のプロファイル（外形）を有している。従来のフレア型ノズル開口、例えば３０は、三個の基礎的構成領域、即ち収束領域４０，狭まったスロート領域４２及び発散領域４４を含んでいる。使用乃至運転時には、流体乃至加圧流体がノズル開口３０全体を通過する。即ち、収束領域４０を抜けてスロート領域４２へ、更に最終的には発散領域４４へと通り抜けていく。ノズル開口３０、３２，３４，３６，３８を規定する壁４６は、スロート領域４２から、比較的大きな放射角４８にて、急峻に広がっている。
【００２８】
　図２〜図４、図７及び図８を参照するに、流体化基層ジェットミル１０内に実装して使用するとした場合、図２に示す第１の従来型ノズル装置２４は、単一の流体ストリーム５０を放出し、この流体ストリーム５０は、共通のノズルストリーム軸５０ａの周りに広がる（図７参照）。他方、図３に示す第２の従来型ノズル装置２６は、４個の各個流体ストリーム５２，５４，５６，５８を放出し、これらの流体ストリーム５２，５４，５６，５８は、共通のノズル部材合成ストリーム軸６０ａの周りに合成ストリーム６０が形成されるよう、広がる（図８参照）。
【００２９】
　図２に示した第１の従来型ノズル装置２４における単一流体ストリーム５０による粒子搬送状況を、概略的なシミュレーション図である図７により示す。同様に、図３に示した第２の従来型ノズル装置２６即ち４個の従来型のフレア型ノズル開口３２，３４，３６，３８を有する装置における粒子搬送状況を、図８に示す。
【００３０】
　図５，図６及び図９に、本発明の好適な実施形態に係るＰＯＮＢＬＯ（複奇数ベル状開口）ノズル装置１００を示す。このノズル装置１００は円筒部１０２を備えており、この円筒部１０２は、長手軸１０４と、長手軸１０４の周りに形成された複奇数個のノズル開口又はノズル例えば１０６，１０８，１１０とを、有している。本実施形態において円筒部１０２の長手軸１０４周りに設けられているのは複奇数個（図では３個）のベル状ノズル開口１０６，１０８，１１０である。複奇数個のベル状ノズル開口１０６，１０８，１１０は、それぞれ、長手軸１０４からＤＳの距離にあり、その直径はＤＭである。本実施形態では、距離ＤＳはベル状ノズル開口１０６，１０８，１１０の直径ＤＭの１／２に等しく、従って直径２×ＤＳの円１０５が現れる。
【００３１】
　複奇数個のノズル開口１０６，１０８，１１０は、それぞれ、小さな流体ジェット又はストリーム１２２，１２４，１２６を放出する。それらは一体となって合成ストリーム又はジェット２２０を形成し、ノズル装置乃至円筒部１０２の放出端１０３から下流へと流れていく。なお、本実施形態における複奇数個の数値例は３個である。
【００３２】
　複奇数個例えば３個のノズル開口１０６，１０８，１１０を１個のノズル装置１０２にて使用しているため、本実施形態では、ノズルひいては放出流体ジェット又はストリーム１２２，１２４，１２６相互の間隔即ちスペース１０７，１０９，１１１が比較的広くなる。この広がったスペース１０７，１０９，１１１は、図示の如く、隣接ノズル開口間（１０６と１０８の間、１０８と１１０の間、及び１１０と１０６の間）のスペースであり、実質的に放出端１０３における低速領域を形成している。これら低速領域（１０７，１０９，１１１）は、複奇数個のノズル開口１０６，１０８，１１０から、長手軸１０４乃至合成ストリーム軸２２０ａ即ち３個或いは複奇数個の各個ジェット１２２，１２４，１２６の中心領域へと、（送出すべき）素材粒子１３を導入するための実効的な導入ギャップとして働く。
【００３３】
　ノズル１０６，１０８，１１０が複奇数個であることから、ギャップ１０７，１０９，１１１も同じ複奇数個になり、複奇数個のノズル１０６，１０８，１１０のうちひとつに対し中心軸を挟んで対向するような配置となる。そのため、ギャップ乃至スペース１０７，１０９，１１１を介してノズル装置１００の中心軸１０４に導入された素材粒子は、対向するノズルに係る各個ストリーム１２２，１２４，１２６により当該ストリーム内に捕獲されるであろうし、また明らかなことに、単純に通りすぎてしまうことはほとんど生じないであろう。このような捕獲は、奇数個の各個ジェット１２２，１２４，１２６から形成される合成ジェット又はストリームによる粒子の搬送確率を、顕著に増大させるものと認めうる。
【００３４】
　加えて、複奇数個のノズル１０６，１０８，１１０は、それぞれ、図６に示すようにベル状の形状乃至外形を有している。この外形は、収束領域１１２、スロート領域１１４、直線的第１膨張領域１１６、並びにこの第１膨張領域から放出端１０３に至る非直線的第２膨張領域１１８を、含んでいる。
【００３５】
　このようなノズル間スペース１０７，１０９，１１１とベル状外形との組合せにより、内側及び外側の双方に亘って搬送領域を拡張することができる。その際、ミル１０の中心１８（図１）近傍にある衝突点まで、搬送粒子を高速且つ高運動エネルギに保つことができる。図９に示すように、計算機流体力学（Computational Fluid Dynamics:ＣＦＤ）シミュレーションによって、このＰＯＮＢＬＯノズル装置１００について、従来の第１及び第２フレア型ノズル装置２４及び２６の何れをも上回る搬送能力が、確認されている。このシミュレーションによって、更に、ＰＯＮＢＬＯノズル装置１００ではミル内で（図１）比較的高い下向速度（図１２）及び下向時運動エネルギを保てることも、確認されている。
【００３６】
　本実施形態に係るＰＯＮＢＬＯノズル装置１００は、フォーカスした３個のノズル又は開口１０６，１０８，１１０を備えており、またこれらのノズル又は開口１０６，１０８，１１０はそれぞれベル型且つ収束型輪郭乃至外形を有している（図６）。ＰＯＮＢＬＯノズル装置１００として３個しかノズル乃至開口１０６，１０８，１１０を備えていないものを使用しているため、ノズル間スペース１０７，１０９，１１１が広く、従ってノズルの円筒部１０２の中心１０４に向けて粒子が移動していく確率が増し、また合成ストリーム又はジェット２２０が粒子を捕獲し搬送する容量が増すものと認めうる。互いに異なる第１及び第２膨張領域１１６，１１８を有するベル状の形状乃至外形によって流体内に発生する粒子流は、それぞれ、各ノズル装置１００の開口１０６，１０８，１１０から発せられる各個ストリーム１２２，１２４，１２６の各軸１２２ａ，１２４ａ，１２６ａに対して平行である。このようにして得られた平行流は、衝突平面１８（図１）に向かう合成ストリーム２２０の運動エネルギを最大にし、また合成ストリーム又はジェット２２０による搬送能力を更に増大させる。
【００３７】
　ＣＦＤシミュレーションは、本実施形態に係るＰＯＮＢＬＯノズル装置１００の性能を、前述した従来技術に係る第１及び第２のノズル装置２４，２６のそれに対して、比較するために実行された。ＣＦＤシミュレーションにおいては、所与の境界条件下におけるフローフィールドについての質量保存則、運動量保存則及びエネルギ保存則を基礎にして、フローフィールドが離散化され、解が導き出される。従って、ＣＦＤで得られる収束していく解は、実際のフローの典型例を示すものと認めうる。ノズル性能比較の基本として、いくつかの数値指標、例えば入力圧、出力圧、出口直径、スラスト、出口での平均速度、出口からの無次元化距離ｘ／ｄ＝２０等を初期的に用いて、比較した。
【００３８】
　比較の結果、同一質量フラックスについては、フレア型開口を有する第１及び第２の従来型ノズル装置２４及び２６に比べて、ＰＯＮＢＬＯノズル装置１００の方が、高いスラスト及び高いノズル放出端平均速度という結果が得られた。
【００３９】
　次に、図１０〜図１２に、各ノズル装置１００乃至円筒部１０２の放出端例えば１０３からの無次元化距離を変えて、各ノズル開口のノズル直径に対する速度プロファイルをプロットした結果を、更なるノズル比較結果として示す。図１０〜図１２は、その種の速度プロファイルを、各ノズルの放出端からの無次元化距離＝１，５，１０，１５，２０について、それぞれ示している。ここに、無次元化距離は、各ノズルの等価スロート直径に対する倍数で表している。各ノズルの等価スロート直径とは、全ノズル開口についての等価的な合計表面積を与える直径である。
【００４０】
　より一般的にいえば、図１０〜図１２は、ノズル装置からのジェット放出速度プロファイルを、ノズル放出端例えば１０３からの距離の関数として、示している。この速度プロファイルは、ＣＦＤシミュレーションを用いて得たものである。各図の横軸は、チャンバの中心方向の速度をｍ／ｓ単位で表したものである。各図の縦軸は、長手軸１０４からの距離をｍｍ単位で表したものである。各折れ線は、ノズルからの無次元化距離ｘ／ｄにおけるジェット速度プロファイルを示している。ｘはノズル放出端１０３からの距離、ｄはノズル装置の等価スロート直径である。装置の等価スロート直径は、全ノズル開口についての合計表面積に等価な表面積から算出した直径として、定義される。一般的な傾向として、ジェットのコアにおける速度はノズルからの距離が広がるほど低くなる。これは、ジェットが周囲の流体と混合し、破砕対象粒子を搬送・加速するためである。
【００４１】
　特に、図１０は、単一フレアプロファイル開口を有する第１従来型ノズル装置について、速度プロファイルを示している。図中、６４はｘ／ｄ＝２０、６６はｘ／ｄ＝１５、６７はｘ／ｄ＝１０、６８はｘ／ｄ＝５、６９はｘ／ｄ＝１における速度プロファイルであり、７０はｘ／ｄ＝２０、７１はｘ／ｄ＝１５、７２はｘ／ｄ＝５における最大ジェット速度である。これらの速度プロファイルは、ジェットがノズルの放出端３３から下流に進むのに従って、ノズル長手軸１０４と交差する方向で捕らえたプロファイルである。ｘ／ｄ＝１においては、ジェットは周囲の流体に対し長手軸１０４から約１２ｍｍの横方向距離にて、非常に大きな速度勾配を有している。ジェットがｘ／ｄ＝５，１０，１５，２０と下流に進むにつれて、符号７０〜７２に示す如く、ジェットと周囲流体との混合が進み、空気と粒子の双方がフローの中に取り込まれ、その結果、ジェットの最大速度が低下しジェットの幅が広がっていく。本願発明に比べると、粒子はジェットの周辺に沿って搬送されうるのみであり、中心まで混じり込んではこない。
【００４２】
　図１１は、４個の従来型フレアプロファイル開口を有する第２従来型ノズル装置について、速度プロファイルを示している。図中、７４はｘ／ｄ＝２０、７６はｘ／ｄ＝１５、７７はｘ／ｄ＝１０、７８はｘ／ｄ＝５、７９はｘ／ｄ＝１における速度プロファイルであり、８０はｘ／ｄ＝１、８１はｘ／ｄ＝５、８２はｘ／ｄ＝１０における最小ジェット速度であり、８４はｘ／ｄ＝１における最大ジェット速度である。
【００４３】
　図１１に示した速度プロファイルは長手軸からの横方向距離の関数として表現されている。特に興味を引くのは、符号８０〜８２で示されているように、各ジェットが周囲のフロー内に広がるにつれてジェット間の速度ポケットがつぶれていくことである。理論上は、この速度ポケットは、ジェット中心に素材を運び入れジェットへの装荷量を増大させる、という効果を生みうるものである。しかしながら、符号８０で示されるように、ｘ／ｄ＝１における最小ポケット速度でも既に２００ｍ／ｓを上回っていることから、素材搬送量の追加はほとんど生じ得ないであろうと見られる。これは、ジェット中心への搬入量が小さいことを示した粒子軌跡検討の結果によって、裏付けられている。
【００４４】
　図１２は、本発明の一実施形態に係るＰＯＮＢＬＯノズル装置について、速度プロファイルを示している。図中、１４４はｘ／ｄ＝２０、１４６はｘ／ｄ＝１５、１４７はｘ／ｄ＝１０、１４９はｘ／ｄ＝５、１４８はｘ／ｄ＝１における速度プロファイルであり、１５０はｘ／ｄ＝１、１５１はｘ／ｄ＝５における最小ジェット速度であり、１５２はｘ／ｄ＝２０における最大ジェット速度であり、１５３はｘ／ｄ＝１における最小ジェット速度であり、１５４はｘ／ｄ＝１における最大ジェット速度である。
【００４５】
　図１２に示した速度プロファイルも長手軸からの横方向距離の関数として表現されている。一見して明らかなのは、符号１４７〜１４９にて示される折れ線から見てジェットが幅広であることであり、これは粒子取り込み対象となる周辺領域が広いことにつながっている。符号１５３により示されているように、ｘ／ｄ＝１における最小ポケット速度はおよそ７５ｍ／ｓに落ちている。符号１５１により示されているように、図１１と比較して、下流側における速度の持続性が高い。速度ポケットが広くまた複奇数個のノズルの間隔が広いため、ＰＯＮＢＬＯノズル設計によって粒子取り込み性能を高めることが可能になる。粒子取り込み・搬送性能の比較の結果から、ＰＯＮＢＬＯノズル設計の方が図１０及び図１１に示したノズルプロファイルのそれに比べて粒子取り込み・搬送可能性が優れていることを、確認できる。
【００４６】
　そして、符号１５２により示されるように、ＰＯＮＢＬＯ設計により取り込み・搬送可能性が向上しているにもかかわらず、ｘ／ｄ＝２０における最大下流域速度は従来技術の何れとも比肩するものである。このような特徴は、より高い取り込み・搬送レベルにおける破壊に充分な粒子運動量があることを、確実化するものである。ＰＯＮＢＬＯ設計における高い下流域運動量は、先に述べたようにノズルプロファイルが非直線的な設計であることの直接的結果である。即ち、ノズル出口からの膨張平行出力は、より高められた取り込み・搬送レベルにおいてさえ、同等或いはより高い下流域運動量をもたらしている。
【００４７】
　図１０に示した標準的な或いは第１の従来型ノズル２４における速度プロファイルと、図１１に示した第２の従来型ノズル２６における速度プロファイルとを比較すると、第２の従来型ノズル２６において、無次元化距離ｘ／ｄが１０より小さいときに、低速領域乃至ポケットがノズル部材２９の出力面乃至端３３の近傍に生じていることがわかる。この低速領域乃至ポケット６２は、第１の従来型ノズル２４の場合に比べてより多くの粒子を、ノズル部材の軸方向に移動させるよう、ひいては合成ジェット６０の中心６０ａ内に取り込む確率を増大させジェット装荷量を増すよう、作用する。このような内部取り込み経路は標準的な第１の従来型装置では生じない。
【００４８】
　特に図１２を参照し、同様にして求めたＰＯＮＢＬＯノズル装置１００の速度プロファイルとの同様の比較を行うと、第２の従来型ノズル２６の同様の速度ポケット６２と比べてさえ、低速領域又はポケット１５３の幅が広く、距離も長く延びていることがわかる。このように広い低速ポケット又は領域１５３によって、第２の従来型ノズル２６に比べ、大きな粒子受容能力及び内部取り込み能力が得られている。ＰＯＮＢＬＯノズル装置１００は、また、合成ストリーム２２０の断面積が広く、その結果周面積が広くなり、標準的な又は第２の従来型ノズル２４，２６と比べてより大きな素材粒子内部・周辺取り込み能力が得られている。無次元化距離ｘ／ｄ＝２０におけるＰＯＮＢＬＯノズル装置の下流向け速度も、同様だがしかし明確に、標準的な又は第２の従来型ノズル２４，２６の同距離におけるそれに比べて、わずかに高い。
【００４９】
　最後に、各ノズルの周辺にある複数の点で粒子軌跡シミュレーションを行った。その結果、相異なるノズル設計における実質的な取り込み能力を示す粒子軌跡が得られた。何れの設計についても、粒子密度は１２００ｋｇ／ｍ3とした。追尾対象とする粒子サイズは、１０，３２．５，５５，７７．５，１００ミクロン（１ミクロン＝１０-6ｍ）の５グループとした。これらの粒子密度及び粒子サイズは、ジェットミル内で遭遇する典型的な粒子を代表している。どの粒子グループも、ノズルの中心軸上３０ｍｍのところでリリースした。また、粒子グループは、ノズルの出力面からの軸方向距離が０，５，１０，１５，２０の各位置でリリースした。
【００５０】
　引き続き図１０〜図１２を参照するに、粒子軌跡シミュレーションの結果がノズルデザイン毎に大きく異なる結果となったことが、示されている。第１の従来型ノズル装置２４（図２）のように単一のノズル又は開口を有するノズル装置は、流体の単一ジェット又はストリーム５０の周辺に沿い粒子１３ｐが乗り込んでくる、という傾向を示している。第２の従来型ノズル装置２６（図３）は、素材１３Ｌが合成ストリーム又はジェット６０の中心に取り込まれる可能性を多少とも有してはいるが、優勢なる量の粒子１３Ｒは合成ストリーム６０から放射状に離れ加速されるという望ましくない傾向を示している。これらに対して、ＰＯＮＢＬＯノズル装置１００（図５）は、ノズルの端１０３から長い距離に隔たった点においても粒子１３ｋを好適に取り込むことができ、また合成ストリーム又はジェット２２０の中心へと粒子１３ｋを好適に引き入れることができる。この結果として、より高頻度で高エネルギ粒子対粒子衝突が生じ、比較的高い粒子破壊率を得ることができ、エネルギ利用効率を高めることができる。
【００５１】
　ＰＯＮＢＬＯノズル装置１００による高取り込み高加速能力は、比較的高歪み率での衝突を引き起こし、ひいては効率的な粒子破壊及びサイズ低減につながる。第２の従来型ノズル装置２６においては、その複数本のジェット又はストリーム５２，５４，５６，５８によって粒子取り込み搬送能力に上昇の傾向が見られるけれども、速度及び取り込み能力が比較的低く運動エネルギが低いため、もろい素材のサイズ低減のみにしか実効的でないという傾向が生じてしまっている。他方で、ＰＯＮＢＬＯノズル装置１００は、ポリマー素材のようなタフな素材であっても効率的にサイズ低減可能な高い衝突エネルギレベルを保持しつつ、比較的高い粒子取り込み搬送能力を示している。
【００５２】
　以上説明したように、本願においては、素材粒子を粉砕するための流体化基層ジェットミルが提案されている。即ち、本発明の好適な実施形態に係る流体化基層ジェットミルは、高速流体の合成ストリームを放出すべくその側壁に貫通実装された複数のノズル装置を備える。この高速流体は、素材の粒子を受け取って搬送し、粒子対粒子衝突を起こさせるべく粉砕対象素材粒子を粉砕チャンバ内に導く。各ノズル装置は、それぞれ高速流体の各個ストリームを放出する複奇数個のベル状ノズル開口を有し、当該各個ストリームが一緒になり高速流体の合成ストリームを形成する。ベル状ノズル開口は、それぞれ、（ｉ）その第１の端から第２の端へと移動する多量の高圧流体を収束及び加速させる収束領域と、（ｉｉ）ベル状ノズル開口の最小直径領域を規定するスロート領域と、（ｉｉｉ）スロート領域を通過した多量の高圧流体を直線的に膨張させる第１膨張領域と、（ｉｖ）第１膨張領域からくる多量の高圧流体を転回膨張及び平行フロー化する第２膨張領域とを備える。第１膨張領域は、スロート領域から第２の端の方向に向け、ｄｒ１／ｄｓ１＝定数、なる条件を満たしつつ何れも増大していく半径ｒ１及び長さｓ１を有する。第２膨張領域は、第１膨張領域から第２の端の方向に向け、ｄｒ２／ｄｓ２がｓ２の非線形関数、なる条件を満たしつつ何れも増大していく半径ｒ２及び長さｓ２を有する。
【実施例】
【００５３】
　本発明の実施例においては、ＣＮＣ切断装置を用いてステンレススチールを加工することによって、１５ｍｍのＰＯＮＢＬＯノズル装置１００を５本一組として製造し、その評価を行った。試験においては、比較対象として、３０のような単一フレア型開口を有する高圧（ＨＣ）タイプノズル、即ち図２に示した標準的な第１の従来型ノズル装置２４と非常に近いものを用いた。主たる相違点は、ＨＣノズルがより長く従って発散領域４４が全面膨出に適したものであることである。ＨＣタイプノズルは、幾通りかのトナー色及びサイズ仕様について、標準的なデザインに比べ、１０％ほど高いスループットレートを示した。
【００５４】
　制御運転のため、従来の即ちＨＣタイプのノズルは粉砕チャンバ１２の中心からの距離ａがａ／ｄ＝１９．７となる位置に配置した。第２の従来型ノズル装置２６では通常ａ／ｄ＝１７なる配置であることから、ＰＯＮＢＬＯノズル装置１００をａ／ｄ＝１８．３及びａ／ｄ＝１７に配置して試験した。
【００５５】
　ＰＯＮＢＬＯノズル装置１００をａ／ｄ＝１８．３に配置し流体化ジェットミルを運転すると、平均合計電流（average total amps）により表される電力消費量が、比較的はっきりと低い。これは当該運転時における粉砕機のおとなしい動作によるものである。ここでいう平均合計電流は流体化した素材の量を示すものであり、従ってこの平均合計電流が低いということはその運転におけるスループットレートが最大化されていないということを示すものである。ＰＯＮＢＬＯノズル装置をａ／ｄ＝１７に配置したときの平均合計電流即ち電力消費はより近く、従って、同一入力エネルギについての従来のノズル装置とＰＯＮＢＬＯノズル装置の能力比較の結果として、ＰＯＮＢＬＯノズル装置１００の方がＨＣタイプノズル装置に比べて１１％のスループットレート増加、という結果が示された。
【００５６】
　ここに、ＨＣノズル装置は標準的な又は第１の従来型ノズル装置２４（図２）に比べ一貫して９〜１０％高いレートを示している。従って、ＰＯＮＢＬＯノズル装置を用いることにより、標準的な又は第１の従来型ノズル装置に比べて少なくとも２０％スループットレートが増加するという結果が得られる。更に、ＰＯＮＢＬＯノズル装置を用いる際、ＨＣノズル装置を用いた場合に比べ、粉砕チャンバの内圧が−０．２ｐｓｉｇ（＝−１３．２Ｐａ）低くなることが認められた。これは、明らかに、ＰＯＮＢＬＯノズル装置の場合におけるスループットレート上昇を引き起こすに充分なほど異なる流体化パターンが現れたことを、示唆している。
【００５７】
　ＰＯＮＢＬＯノズル装置１００は、このように、ＣＦＤシミュレーションによって最適化された設計である。結果として、粒子衝突エネルギだけでなく粒子取り込み・搬送能力の顕著な増大が生じ、更に、単位入力エネルギに対して比較的高いサイズ低減スループットレートが得られている。
【００５８】
　以上、本発明に関しその好適な実施形態及び実施例により説明を行ったが、本発明をこの実施形態及び実施例に限定して認定するべきではなく、むしろ、特許請求の範囲の記載に従い、すべての代替物、変形物及び等価物が本発明に含まれるものと解釈されるべきである。
【図面の簡単な説明】
【００５９】
【図１】本発明の一実施形態に係る複奇数ベル状開口ノズル装置を有する流体化基層ジェットミルの垂直断面を示す図である。
【図２】単一の従来型フレア形状ノズル開口を有する第１のタイプの従来型ノズル装置の構成を示す斜視図である。
【図３】４個の従来型フレア形状ノズル開口を有する第２のタイプの従来型ノズル装置の構成を示す斜視図である。
【図４】図２及び図３に示した従来型フレア形状ノズル開口の断面図である。
【図５】本発明の一実施形態における複奇数ベル状開口（ＰＯＮＢＬＯ）ノズル装置の構成を示す図であり、特に図５Ａは斜視図、図５Ｂは端面図である。
【図６】図５に示したＰＯＮＢＬＯノズル装置の複奇数個のベル状ノズル開口のうちひとつについてその構造を示す断面図である。
【図７】図２に示した従来のノズル装置、即ち単一の従来型フレア形状ノズル開口を有する第１のタイプの従来ノズル装置について、単一流体ストリームによる粒子搬送状況を示したシミュレーション図である。
【図８】図３に示した従来のノズル装置、即ち４個の従来型フレア形状ノズル開口を有する第２のタイプの従来ノズル装置について、流体ストリームによる粒子搬送状況を示したシミュレーション図である。
【図９】本発明の一実施形態に係るＰＯＮＢＬＯノズル装置について、流体ストリームによる粒子搬送状況を示したシミュレーション図である。
【図１０】図２に示した従来のノズル装置における従来型フレア形状ノズル開口の速度プロファイルを、無次元化したノズル端からの距離１，５，１０，１５及び２０においてプロットしたグラフである。
【図１１】図３に示した従来のノズル装置における偶数個の従来型フレア形状ノズル開口からの合成ストリームの速度プロファイルを、無次元化したノズル端からの距離１，５，１０，１５及び２０においてプロットしたグラフである。
【図１２】図５に示した実施形態に係るノズル装置における奇数個のフレア形状ノズル開口からの合成ストリームの速度プロファイルを、無次元化したノズル端からの距離１，５，１０，１５及び２０においてプロットしたグラフである。
【符号の説明】
【００６０】
　１０　流体化基層ジェットミル、１２　粉砕チャンバ、１３，１３ｋ，１３ｐ　粒子、１４　側壁（周縁壁）、１８　中心軸、１９　装置、２０　粒子選別放出装置、２３　粒子集粉口、１００　ＰＯＮＢＬＯノズル装置（ソース）、１０１，１０３　端、１０２　円筒部、１０４　縦軸（長手軸）、１０５　円、１０６，１０８，１１０　ベル状ノズル開口、１０７，１０９，１１１　粒子受容スペース（導入ギャップ）、１１２　収束領域、１１４　スロート領域、１１６　第１膨張領域、１１８　第２膨張領域、１２１　流体、１２２，１２４，１２６　ストリーム、１２２ａ，１２４ａ，１２６ａ　ストリーム軸、２２０　ストリーム又はジェット、２２０ａ　合成ストリーム軸。
【図１】
2004050180.tif 000003
【図２】
2004050180.tif 000004
【図３】
2004050180.tif 000005
【図４】
2004050180.tif 000006
【図５】
2004050180.tif 000007
【図６】
2004050180.tif 000008
【図７】
2004050180.tif 000009
【図８】
2004050180.tif 000010
【図９】
2004050180.tif 000011
【図１０】
2004050180.tif 000012
【図１１】
2004050180.tif 000013
【図１２】
2004050180.tif 000014